【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
ナビゲーション装置であって、
それぞれが異なる時間期間に関連する速度変更データであって、特定の道路種別における各時間期間において気象条件に起因した予想される速度変更に対応する複数の速度変更要因を有する前記速度変更データの複数のセットを含むか、又は、該セットを生成するために使用される気象関連データを受信し、
道路セグメントに沿った予想移動速度の代表値である速度データであって、デジタルマップの複数の前記道路セグメントのそれぞれにおける前記速度データを変更し、
前記変更された速度データを用いて、行き先への経路を決定することと予想到着時刻（ＥＴＡ）を決定することとの少なくとも１つを行うナビゲーション動作を実行するように構成された処理リソースを備え、
前記道路セグメントごとに該道路セグメントに対する前記道路種別を分類するそれぞれの分類子が存在し、
各道路セグメントにおける前記速度データは、前記道路セグメント及び該道路セグメントへの予想到着時刻における前記分類子によって表される前記道路種別におけるそれぞれの速度変更要因を用いて変更されることを特徴とするナビゲーション装置。
【請求項２】
分類された各道路種別は、少なくとも１つの気象条件に対する各感度レベルを表すことを特徴とする請求項１に記載のナビゲーション装置。
【請求項３】
前記気象関連データは、場所の関数として予想された気象条件を表すデータを含み、
前記気象条件は、雨、あられ、みぞれ又は雪が降ることの有無、風速及び風向、積雪の有無又は積雪量、凍結の有無又は凍結量、視界レベル、霧の有無又は霧の量、並びに気温のうち１つ以上を含み、
前記処理リソースは、さらに、前記速度変更データの複数のセットを生成するように前記気象関連データを処理するように構成されることを特徴とする請求項１又は２に記載のナビゲーション装置。
【請求項４】
前記気象関連データは、少なくとも１つの輪郭データセットを含み、
各輪郭データセットは、同じ気象条件又は速度変更データのそれぞれのエリアを表し、
前記処理リソースは、前記道路セグメントの位置及び当該位置の輪郭データから前記道路セグメントの気象関連データを決定するように構成されることを特徴とする請求項１乃至３の何れか１項に記載のナビゲーション装置。
【請求項５】
前記処理リソースは、前記目的地への予想到着時刻を決定し、前記変更された速度データに基づいて前記予想到着時刻を変更するように構成されることを特徴とする請求項１乃至４の何れか１項に記載のナビゲーション装置。
【請求項６】
前記処理リソースは、予想移動速度に従って前記選択された目的地までの経路を計算し、前記速度データの変更に応答して経路を再計算するように構成されることを特徴とする請求項１乃至５の何れか１項に記載のナビゲーション装置。
【請求項７】
前記処理リソースは、所定期間にわたる気象関連データの変動に従って、前記予想到着時刻を変更するか又は前記経路を再計算するように構成されることを特徴とする請求項５又は６に記載のナビゲーション装置。
【請求項８】
前記処理リソースは、更新された気象関連データを繰り返し受信し、前記予想到着時刻を繰り返し変更するか又は前記経路を繰り返し再計算するように構成されることを特徴とする請求項５乃至７の何れか１項に記載のナビゲーション装置。
【請求項９】
前記ナビゲーション装置は、携帯ナビゲーションデバイス（ＰＮＤ）又は移動電話機である携帯デバイスであり、
前記携帯デバイスは、該携帯デバイスの位置を表すデータと選択された位置への経路との少なくとも１つを、サーバへ送信し、前記携帯デバイスの位置及び経路の少なくとも一方に従って前記サーバから選択された気象関連データを受信することを特徴とする請求項１乃至８の何れか１項に記載のナビゲーション装置。
【請求項１０】
少なくとも１つのナビゲーション装置へ気象関連データを提供するサーバシステムであって、
気象データを取得し、取得した前記気象データを処理して、前記少なくとも１つのナビゲーション装置へ送信する速度変更データを生成するように構成された処理リソースを備え、
前記速度変更データは、速度変更データの複数のセットを含み、
各速度変更データセットは、異なる時間期間に関連し、複数の速度変更要因を含み、
各速度変更要因は、特定の道路の分類の種別におけるそれぞれの時間期間において気象条件に起因した、デジタルマップの複数の前記道路セグメントに沿った予想移動速度への予想される速度変更に対応することを特徴とするサーバシステム。
【請求項１１】
前記気象データは、所定の場所における特定の気象種別のレベルを表すデータを含み、
前記サーバは、前記気象データから前記所定の場所に対する速度変更データを決定するために指数関数モデルを適用するように構成されることを特徴とする請求項１０に記載のサーバシステム。
【請求項１２】
前記処理リソースは、複数の道路セグメントの各々に対して気象データと移動データとを互いに関連付けることにより、少なくとも１つの気象条件の関数として、複数の道路セグメントの各々に対する速度変更を表す気象反応データを決定するように構成されることを特徴とする請求項１０又は１１に記載のサーバシステム。
【請求項１３】
前記処理リソースは、少なくとも１つの気象条件の関数として速度変更を表す前記気象反応データと、少なくとも１つの道路セグメントに対する現在の天気又は天気予報とに基づいて、前記速度変更データを決定するように構成されることを特徴とする請求項１２に記載のサーバシステム。
【請求項１４】
ナビゲーション動作を実行する方法であって、
それぞれが異なる時間期間に関連する速度変更データであって、特定の道路種別における各時間期間において気象条件に起因した予想される速度変更に対応する複数の速度変更要因を有する前記速度変更データの複数のセットを含むか、又は、該セットを生成するために使用される気象関連データを受信するステップと、
道路セグメントに沿った予想移動速度の代表値である速度データであって、デジタルマップの複数の前記道路セグメントのそれぞれにおける前記速度データを変更するステップと、
前記変更された速度データを用いて、行き先への経路を決定することと予想到着時刻（ＥＴＡ）を決定することとの少なくとも１つを行うナビゲーション動作を実行するステップと
を含み、
前記道路セグメントごとに該道路セグメントに対する前記道路種別を分類するそれぞれの分類子が存在し、
各道路セグメントにおける前記速度データは、前記道路セグメント及び該道路セグメントへの予想到着時刻における前記分類子によって表される前記道路種別におけるそれぞれの速度変更要因を用いて変更されることを特徴とする方法。
【請求項１５】
サーバシステムから少なくとも１つのナビゲーション装置へ気象関連データを提供する方法であって、
気象データを取得するステップと、
前記少なくとも１つのナビゲーション装置へ送信するための速度変更データの複数のセットを生成するように前記気象データを処理するステップと
を含み、
前記速度変更データの各セットは、異なる時間期間に関連し、複数の速度変更要因を含み、
各速度変更要因は、特定の道路の分類の種別におけるそれぞれの時間期間において気象条件に起因した、デジタルマップの複数の前記道路セグメントに沿った予想移動速度への予想される速度変更に対応することを特徴とする方法。
【請求項１６】
請求項１４又は１５に記載の方法の各ステップを実行可能なコンピュータで読み取り可能なプログラム。